(57)【要約】      （修正有）【課題】ＲＦＩＤへの情報の読込み・書込み、および印字可能な小型携帯情報記録担体発行装置。【解決手段】情報記録担体発行ユニット１は、ＲＦＩＤ読取り・書込み部１７と、挿入される担体を案内してＲＦＩＤインレットを位置決めする担体挿入部１８と、位置決めされた情報記録担体の印字表示部に印字を施す印字文字部１３、印字用のエンドレスバンド７と、エンドレスバンドを回転可能に支持した印字文字選択手段８と、エンドレスバンドを印字表示部に押圧させる押圧手段５と、を具備する。また、データ入力ユニットは、ＲＦＩＤ読取り・書込み部に送信する所望の情報を入力可能なキーボード部と、入力された所望情報とＲＦＩＤ読取り・書込み部に書込まれた所望情報を表示する表示部と、キーボードよりの入力、および表示部に対する表示を情報記録担体発行ユニットとの間で送受信する伝送手段と、を具備する。【選択図】図１
2006338180.tif 000002
【特許請求の範囲】
【請求項１】
ＲＦＩＤインレットが内蔵され、かつ、表面の適宜位置に印字表示部が形成された情報記録担体に対し所望の情報を印字するとともに書込む情報記録担体発行ユニットと、この情報記録担体発行ユニットとの間で情報の授受を行うデータ入力ユニットと、を備えた携帯情報記録担体発行装置であって、
前記情報記録担体発行ユニットは、
前記情報記録担体のＲＦＩＤインレットに対する情報の読込み・書き込みを行うＲＦＩＤ読取り・書込み部と、
挿入される前記情報記録担体を案内するとともに、前記ＲＦＩＤ読取り・書込み部に前記情報記録担体のＲＦＩＤインレットを位置決めする担体挿入部と、
前記担体挿入部に挿入され位置決めされた前記情報記録担体の印字表示部に印字を施す印字文字部、および前記印字文字部に対応する見出し文字部を対向位置に配した印字用のエンドレスバンドと、
前記印字文字部を前記情報記録担体の印字表示部に位置決めすべく、前記印字用のエンドレスバンドを回転可能に支持した印字文字選択手段と、
前記印字表示部に印字文字部が位置決めされた前記エンドレスバンドを前記印字表示部に押圧させる押圧手段と、
を具備し、また、
前記データ入力ユニットは、
前記情報記録担体発行ユニットのＲＦＩＤ読取り・書込み部に対し送信する前記所望の情報を入力可能なキーボード部と、
前記キーボード部から入力された前記所望情報を表示するとともに、前記ＲＦＩＤ読取り・書込み部に書込まれた前記所望情報を表示する表示部と、
前記キーボードよりの入力、および表示部に対する表示を前記情報記録担体発行ユニットとの間で送受信する伝送手段と、を具備することを特徴とする携帯情報記録担体発行装置。
【請求項２】
前記情報記録担体は、リストバンドであることを特徴とする請求項１に記載の携帯情報記録担体発行装置。
【請求項３】
前記エンドレスバンドには、インクを含浸させたインクローラが当接していることを特徴とする請求項１に記載の携帯情報記録担体発行装置。
【請求項４】
前記底板部は、平坦に形成されていることを特徴とする請求項１に記載の携帯情報記録担体発行装置。
【請求項５】
前記印字文字選択手段には、さらに、前記印字用のエンドレスバンドを回転させる選択つまみ、および前記見出し文字部を視認可能とした見出し窓を備えたことを特徴とする請求項１に記載の携帯情報記録担体発行装置。
【発明の詳細な説明】
【技術分野】
【０００１】
本発明は携帯情報記録担体発行装置に関し、特に、リストバンドに内蔵されたＲＦＩＤインレットに対してデータの書込みおよび読込みを行う手持ち式の携帯情報記録担体発行装置に関する。
【背景技術】
【０００２】
従来、ＲＦＩＤに各種情報を記憶させ、この各種情報を用いて各種の管理を行うことが実施されている。
例えば、野外で開かれる競技会において、情報記録担体としてのＲＦＩＤタグを競技者に発行し、走行時間等を管理するようなことが行われている（例えば、特許文献１参照）。
特許文献１によれば、予め発行したＲＦＩＤタグを競技者のゼッケンに取り付ける一方、審判員や補助員等には取っ手付きの軽量のアンテナ（図４）と携帯コントローラ（図５）とからなるＲＦＩＤリーダ／ライタを携帯させ、審判員がゴールした競技者のゼッケンにアンテナをかざすことによりＲＦＩＤタグからゼッケン番号等の競技者特定情報を読み取るようになっている。
しかしながら、上記特許文献１では、詳細な記載はないものの、参加者が多いためＲＦＩＤタグを予め発行する必要があり、埋め込むＲＦＩＤタグとゼッケン番号との一致は図れるものの、所定のゼッケン番号を該当競技者に割当てるための処理、すなわち、該当競技者が集中する受付時に該当番号のゼッケンを渡すための処理、および該当ゼッケンが該当競技者に渡ったか否かの確認が難しく、混乱をきたす恐れがあるという問題があった。
発行したＲＦＩＤタグ（情報記録担体）をゼッケンに取り付ける代わりにリストバンドに挟み込むようなことも行われているが（図１０参照）、前述した該当競技者に該当番号のリストバンドを確実に渡すための受付時処理が難しいという問題は依然として残った。
また、リストバンドを発行するプリンタ（発行装置）としては、例えば、特許文献２がある（同文献の図３参照）。
特許文献２のプリンタによれば、台紙およびリストバンド部を備えたリストバンド用ラベルが長尺状に巻回された「連続体」を装着し、「連続体」を繰り出すとともに、熱転写リボンによりリストバンドの表面にＩＤ番号、生年月日などの患者情報を印字するようになっている。
しかしながら、上記特許文献２のプリンタ（発行装置）は、熱転写リボンを用い、かつ、「連続体」を装着して印字するため装置の大型化が避けられず、しかも、巻回した「連続体」を用いるため、アンテナを備えたＲＦＩＤが内蔵されたリストバンドに対するプリンタとして用いようとした場合、前記アンテナが丸まって断線のおそれがあるなど、ＲＦＩＤ内蔵のリストバンド（情報記録担体）の印字用としては不向きであるという問題があった。
【特許文献１】特開２００４−２４８７０３号公報
【特許文献２】特開２００５−２４５８２号公報
【発明の開示】
【発明が解決しようとする課題】
【０００３】
個人情報保護法の施行に伴い、患者氏名、生年月日などの患者情報が他人の目に触れることを極力抑えるため、ＲＦＩＤ内蔵の情報記録担体に患者情報を記憶し、この情報記録担体を患者に保持させるようなことが望まれた。
さらに、在宅の介護患者などに前記患者情報が記憶された情報記録担体を保持させるため、患者のいる現場（派遣先）でＲＦＩＤ内蔵の情報記録担体が発行でき、しかも、患者情報が読取れるような携帯情報記録担体発行装置の開発が望まれた。
【０００４】
本発明は、上記のような状況に着目してなされたものであって、小型で、介護患者が在宅している現場に携帯が可能であり、しかも、ＲＦＩＤへの情報の読込み・書込み、および目に見える最小限情報の印字も可能な携帯情報記録担体発行装置を提供することを課題とする。
【課題を解決するための手段】
【０００５】
本発明の携帯情報記録担体発行装置は、ＲＦＩＤインレットが内蔵され、かつ、表面の適宜位置に印字表示部が形成された情報記録担体に対し所望の情報を印字するとともに書込む情報記録担体発行ユニットと、この情報記録担体発行ユニットとの間で情報の授受を行うデータ入力ユニットと、を備えた携帯情報記録担体発行装置であって、前記情報記録担体発行ユニットは、前記情報記録担体のＲＦＩＤインレットに対する情報の読込み・書き込みを行うＲＦＩＤ読取り・書込み部と、挿入される前記情報記録担体を案内するとともに、前記ＲＦＩＤ読取り・書込み部に前記情報記録担体のＲＦＩＤインレットを位置決めする担体挿入部と、前記担体挿入部に挿入され位置決めされた前記情報記録担体の印字表示部に印字を施す印字文字部、および前記印字文字部に対応する見出し文字部を対向位置に配した印字用のエンドレスバンドと、前記印字文字部を前記情報記録担体の印字表示部に位置決めすべく、前記印字用のエンドレスバンドを回転可能に支持した印字文字選択手段と、前記印字表示部に印字文字部が位置決めされた前記エンドレスバンドを前記印字表示部に押圧させる押圧手段と、を具備し、また、前記データ入力ユニットは、前記情報記録担体発行ユニットのＲＦＩＤ読取り・書込み部に対し送信する前記所望の情報を入力可能なキーボード部と、前記キーボード部から入力された前記所望情報を表示するとともに、前記ＲＦＩＤ読取り・書込み部に書込まれた前記所望情報を表示する表示部と、前記キーボードよりの入力、および表示部に対する表示を前記情報記録担体発行ユニットとの間で送受信する伝送手段と、を具備する。
また、情報記録担体は、リストバンドであるようにできる。
また、エンドレスバンドには、インクを含浸させたインクローラが当接しているようにできる。
また、底板部は、平坦に形成されるようにできる。
また、印字文字選択手段には、さらに、印字用のエンドレスバンドを回転させる選択つまみ、および見出し文字部を視認可能とした見出し窓を備えるようにできる。
【発明の効果】
【０００６】
本発明の携帯情報記録担体発行装置は、情報記録担体発行ユニットに設けた印字文字選択手段によりエンドレスバンドの印字文字部を情報記録担体の印字表示面に対し位置決めし、押圧手段により印字させるとともに、情報記録担体に内蔵されたＲＦＩＤインレットに対してはＲＦＩＤ読取り・書込み部を介して所望の情報の読込み・書き込みを行うようにしたため、１台でＲＦＩＤ内蔵の情報記録担体に対する所望の情報の印字および記憶が可能であり、さらに、記憶した所望の情報の読取りが可能であるという効果がある。
また、情報記録担体発行ユニットに対し、データ入力ユニットより伝送手段を介して所望情報を送受信できるため、介護患者が在宅する現場などでの情報記録担体の発行が可能であるという効果がある。
また、情報記録担体をリストバンドとすれば、患者への装着が容易であり、かつ、本人確認が確実に実施できる。
また、エンドレスバンドに、インクを含浸させたインクローラを当接すれば、鮮明な印字が期待できる。
また、底板部を平坦に形成すれば、手持ち状態で情報記録担体を発行せずともテーブル等への載置が可能であり、情報記録担体が安定した状態で容易に発行できるようになる。
さらに、印字文字選択手段に、印字用のエンドレスバンドを回転させる選択つまみ、および見出し文字部を視認可能とした見出し窓を備えるようにすれば、所望の活字体の選択が容易かつ確実となる。
【発明を実施するための最良の形態】
【０００７】
以下、本発明の携帯情報記録担体発行装置の一実施の形態につき、図１ないし図５に基づき説明する。
携帯式情報記録担体発行装置は、「情報記録担体」としてのリストバンド５０を印字・発行するハンディタイプ（手持ち式）の装置であって、主に、情報記録担体発行ユニット（以下、適宜、単に「発行ユニット」と称す）１と、この発行ユニット１との間で所望のデータの授受を行うデータ入力ユニット（以下、適宜、単に「入力ユニット」と称す）２（図４）とより構成される。
図１は、発行ユニット１の概略側面図、図２は、図１中、矢示ＩＩ方向より見た概略平面図である。
同図に示すように、発行ユニット１は、主に、グリップ３が形成された発行ユニット本体４と、前記グリップ３に対設された作動レバー５と、底板部６と、を備えている。
【０００８】
発行ユニット本体４は、印字用のエンドレスバンド７と、選択つまみ８と、インクローラ９と、見出し窓部１０と、制御部１１と、位置決めセンサ１９と、スイッチ２０と、バッテリ１２とを備える。
グリップ３は、発行ユニット本体４の手元側（図１、図２における右側）に形成されており、これを握ることにより発行ユニット１全体が手持ち支持されるようになっている。
エンドレスバンド７は、一般にその外周半分が押印用の活字体が形成された印字文字部１３で、残る外周半分が見出し文字部１４であり、前記印字文字部１３および見出し文字部１４とも０〜９のアラビア数、あるいは、「ＩＤ」や「Ｎｏ」などの特殊文字で形成されている。このエンドレスバンド７は、図２における幅方向（矢示Ｗ方向）に複数列配置されており、かつ、図１における下半分が印字文字部１３、また、上半分が見出し文字部１４となるように設けられている。
選択つまみ８は、前記エンドレスバンド７を回転可能に支持した「印字文字選択手段」であり、前記複数列のエンドレスバンド７のうち、所望列のエンドレスバンド７を選択して回転できるようになっている。
インクローラ９は、前記エンドレスバンド７の印字文字部１３に当接して該印字文字部１３に図示省略のインクを塗付するためのインク塗布手段であり、インク（図示省略）が含浸されている。
見出し窓部１０は、発行ユニット本体４の図１における左先端部の上方部に形成されており、前記エンドレスバンド７の見出し文字１４の視認（確認）用の窓であって、前記選択つまみ８により所望列の見出し文字部１４を選択して回転し見出し窓部１０に所望の「見出し文字」が見えるよう位置決めすると、この見出し窓部１０に表示された「見出し文字」に該当する印字文字部１３の「活字体」が、外周の対向する下端部に位置決めされるようになっている。
制御部１１については、後述する。
位置決めセンサ１９は、印字対象のリストバンド５０が発行ユニット１の所定位置に位置決めされたか否かの確認用のセンサであり、発光部と受光部とを備える。詳細は後述する。
バッテリ１２は、制御部１１や後述の各部への供給用電源である。
スイッチ２０は、後述の作動レバー５の作動を検出するようになっている。
また、１５は、ＬＥＤ（ｌｉｇｈｔ  ｅｍｉｔｔｉｎｇ  ｄｉｏｄｅ：発光ダイオード）であり、このＬＥＤ１５の点灯、消灯、あるいは点滅により、「携帯情報記録担体発行装置」の各種の状態を表すようになっている。
また、「押圧手段」としての作動レバー５は発行ユニット本体４の機枠に枢軸１６にて保持され、作動レバー５の先端部には、前記複数列のエンドレスバンド７が固着され、さらに、手元部には前記スイッチ２０が設けられている。そして、手でグリップ３と作動レバー５を手で支持し（握り）作動レバー５を握り締めていくと、枢軸１６を挟んで作動レバー５の他端側（図１における左先端部側）に固定されたエンドレスバンド７が枢軸１６を回動中心点として下方へ押圧され、かつ、手元側のスイッチ２０がＯＮとなって作動レバー５によるエンドレスバンド７の押圧が検出され、さらに、握っている力を緩めると作動レバー５が元の位置に戻って前記押圧力を解くとともに、エンドレスバンド７を元の位置に復帰するようになっている。なお、作動レバー５の緩みに伴い前記スイッチ２０はＯＦＦとなる。
底板部６は、発行ユニット本体４の図１における下方部を覆うように形成されており、先端部に、リストバンド５０の後述する「ＲＦＩＤインレット」に対する情報の読取り・書込みを行うＲＦＩＤ読取り・書込み部１７を備える。
そして、底板部６と前記エンドレスバンド７との間にリストバンド５０を案内するとともに、ＲＦＩＤ読取り・書込み部１７に後述の「ＲＦＩＤインレット」を位置決め可能な担体挿入部１８が、底板部６の上方部と前記発行ユニット本体４の下方部との間に形成されている。
なお、底板部６は平滑面状態に形成されており、テーブル上などに載せると発行ユニット１全体が安定した状態に置かれるようになっている。
【０００９】
ここで、主に、図２を参照して、「情報記録担体」としてのリストバンド５０につき説明する。
リストバンド５０は、長手方向Ｘの中央部分に形成された印字表示部５１と、この印字表示部５１に連続して形成された係止部５２と、確認用の切欠き部５６から成り、係止部５２には図示省略の留め具により係止するための係止孔５３およびセット孔５４が形成されている。
また、表示部５１の部分には図示省略のＩＣチップおよびアンテナを備えたＲＦＩＤインレット５５が挟み込まれた状態で内蔵されている。
印字表示部５１は、前記エンドレスバンド７の印字文字部１３により所望の印字が行え、かつ、油性のマジックなどにより文字などが手書きできるようになっている。
また、ＲＦＩＤインレット５５は介護患者などの情報（データ）が記憶されるようになっており、このＲＦＩＤインレット５５に対する情報の読取り・書込みは前述したように底板部６の先端に設けられたＲＦＩＤ読取り・書込み部１７により行われるようになっている。
また、切欠き部５６は、リストバンド５０が前記発行ユニット本体４、およびＲＦＩＤ読取り・書込み部１７に対し所望の状態に位置決めされたか否かを確認するための切欠きであり、前記位置決めセンサ１９により確認されている。すなわち、前記担体挿入部１８に先端部側（図１における左端部）よりリストバンド５０を挿入すると案内に従い奥側（図１における右側）へと進み、始めはリストバンド５０により位置決めセンサ１９の発光が遮断され、最奥部にリストバンド５０の端部が突き当たってそれ以上、奥に挿入できずに止まり、切欠き部５６が検出されると今度は発光部と受光部との間に光が通過するため、リストバンド５０が所定の位置に位置決めされたことが検出されるものであり、ＲＦＩＤ読取り・書込み部１７に対しＲＦＩＤインレット５５が位置決めされるとともに、印字表示部５１が前記エンドレスバンド７の印字文字部１３に対しても位置決めされるようになっている。なお、この所定状態への位置決めは前記ＬＥＤ１５を点灯させることにより操作者に知らせるようになっている。
印字表示部５１に所望の情報が印字され、かつ、ＲＦＩＤインレット５５に所望の情報が書込まれた（記憶された）リストバンド５０は、病院における患者や在宅介護を受ける介護患者に装着される。すなわち、患者や要介護患者（図示省略）の手首に巻き付け、手首の太さに見合う係止孔５３およびセット孔５４を選んで図示省略の留め具により留めることにより装着されるものである。
【００１０】
次に、主に、図３に基づき、発行ユニット本体４の制御部１１につき説明する。
図３は、制御部１１の要部を示す電気的なブロック図である。同図に示すように、制御部１１は、主に、所定の制御プログラムや各種設定データを記憶するＲＯＭ（Ｒｅａｄ  Ｏｎｌｙ  Ｍｅｍｏｒｙ）２２と、ＲＯＭ２２に記憶されている制御プログラムに従って動作し、各部を制御するＣＰＵ（Ｃｅｎｔｒａｌ  Ｐｒｏｃｅｓｓｉｎｇ  Ｕｎｉｔ）２１と、ＣＰＵ２１が動作する上で必要となる各種データを記憶するＲＡＭ（Ｒａｎｄｏｍ    
Ａｃｃｅｓｓ  Ｍｅｍｏｒｙ）２３と、ブルートゥース制御部２４と、前記ＬＥＤ１５を制御する表示制御部２５と、前記位置決めセンサ１９の発光部を制御し、光を出射させるとともに、受光部から出力される電気信号を受け取り、ディジタルのデータに変換して位置検出データとしてＣＰＵ２１に供給するセンサ制御部２６と、スイッチ２０のＯＮ、ＯＦＦ信号をＣＰＵ２１に供給するスイッチ制御部２８と、前記ＲＦＩＤ読取り・書込み部１７を制御するＲＦＩＤ制御部２９と、無線ＬＡＮ制御部２７とを備える。
ブルートゥース制御部２４は、無線を通じて外部に接続された図示しないパーソナルコンピュータや前記入力ユニット２等の各種機器との間で前記リストバンド５０に記憶する情報などの各種データやコマンドの送受信を行うことができるようになっている（伝送手段）。
また、無線ＬＡＮ制御部２７は、ブルートゥース制御部２４と同様、無線ＬＡＮなどのイントラネットを介して図示しないパーソナルコンピュータ等の各種機器との間で各種データやコマンドの送受信を行うことができるようになっている。
【００１１】
次ぎに、図４に基づき、入力ユニット２につき説明する。
入力ユニット２は、患者番号や介護者ＩＤなどを入力するためのキーボード部３０と、このキーボード部３０より入力した患者番号や介護者ＩＤなどに基づき各種情報を表示するための液晶ディスプレイなどで作製された表示部３１と、図示省略のＣＰＵおよびＲＡＭなどの記憶部と、を備えており、かつ、図示省略のベルト留め用フックや肩掛けベルトなどにより操作者（図示省略）の身に携帯可能とされている。
また、キーボード部３０には、図示省略の送信ボタンなどの各種制御キーなども備えられており、送信ボタンなどの制御キー（図示省略）の押下により前記発行ユニット１との間でデータの送受信が可能とされている。
なお、前記記憶部（図示省略）には、ＰＣなどの外部機器より患者の氏名や生年月日、介護保険情報などが記憶できるようになっている。
【００１２】
次ぎに、主に、図５のフローチャートに基づき、本発明の携帯情報記録担体発行装置の使用状態を説明する。
なお、本実施の形態においては、介護患者（以下、適宜、単に「患者」と称す）に装着するリストバンド（情報記録担体）５０の発行を例に説明する。
ステップＳ０１にて、新たな訪問先の患者情報を予め入力ユニット２に記憶する。すなわち、図示省略の患者番号や介護保険情報、訪問予定日（何曜日に訪問するか）、健康保険番号、どのような介護を必要としているかなどのリストバンド５０のＲＦＩＤインレット５５に記憶させたい患者情報を、図示省略の介護者派遣センターのメインコンピュータ（図示省略）より入力ユニット２にダウンロードして記憶させる。
ステップＳ０２において、新しい患者宅を訪問する。
ステップＳ０３において、患者情報を入力ユニット２に入力する。すなわち、患者の名前を確認し、名前や生年月日入力などにより予め介護者派遣センターで記憶させた前記患者情報（図示省略）の中から該当患者番号などを検索して表示部３１に表示する。なお、緊急時、すなわち、災害時などの野外テントなどで使用する場合は、予め患者情報を記憶させる必要はなく、ユニークな患者番号を入力すればよい。
ステップＳ０４にて、入力ユニット２から発行ユニット１へデータを転送する。すなわち、入力ユニット２の表示部３１で確認した患者に間違いないか確認後、キーボード部３０の図示省略の送信ボタンを押すと、患者情報が発行ユニット１に送信され、ＣＰＵ２１の働きによりブルートゥース制御部２４を介してＲＡＭ２３に一時的に記憶される。
ステップＳ０５にて、発行ユニット１の先端方向から担体挿入部１８にＲＦＩＤインレット５５内蔵のリストバンド５０を差し込む。リストバンド５０は案内に従い奥へ進むと、リストバンド５０の切欠き部５６が検出されるとともにＬＥＤ１５が点灯して所定の位置への位置決めが確認される。
ステップＳ０６にて、患者番号を発行ユニット１の見出し文字部１４に合せる。すなわち、見出し窓部１０から見えるエンドレスバンド７の見出し文字部１４を見ながら選択つまみ８を回し、入力ユニット２に表示された患者番号と同じ番号に前記見出し文字部１４を合せると、この見出し文字部１４の対向外周位置に設けられた印字文字部１３の「活字体」がリストバンド５０の印字表示部５１に対峙した位置に位置決めされる。
ステップＳ０７にて、発行ユニット１のグリップ３を握ることでリストバンド５０に患者情報を書込むとともに印字する。すなわち、手でグリップ３部分と作動レバー５部分を握り作動レバー５を握り締めると、エンドレスバンド７の選択・位置決めされた印字文字部１３の患者番号（図示省略）がリストバンド５０の印字表示部５１に押圧され、かつ、スイッチ２０がＯＮになると信号がスイッチ制御部２８を介してＣＰＵ２１へと送られ、ＣＰＵ２１の働きによりＲＡＭ２３に一時的に記憶した前記患者情報（図示省略）をＲＦＩＤ制御部２９を介してＲＦＩＤ読取り・書込み部１７へと送り、このＲＦＩＤ読取り・書込み部１７を通じてリストバンド５０のＲＦＩＤインレット５５に図示省略の患者情報を書き込むものである。ＲＦＩＤインレット５５への患者情報（図示省略）の書込み終了をＬＥＤ１５の点灯により確認し、作動レバー５の握りを緩めると、エンドレスバンド７側は枢軸１６を回動中心点として図１における上方側へと戻り、元の位置に復帰する。
ステップＳ０８にて、リストバンド５０を発行ユニット１から外して、図示省略の患者の手首に装着する。
ステップＳ０９にて、発行ユニット１をリストバンド５０に重ねて作動レバー５を握ることでリストバンド５０の情報を読取る。すなわち、発行ユニット１の底板部６の先端部の外側がリストバンド５０のＲＦＩＤインレット５５の部分に重なるように当てることによりＲＦＩＤ読取り・書込み部１７をＲＦＩＤインレット５５に位置決めし、さらに、作動レバー５を握りしめることによりスイッチ２０が作動し、ＲＦＩＤインレット５５に記憶された患者情報（図示省略）をＲＦＩＤ読取り・書込み部１７およびＲＦＩＤ制御部２９を介して発行ユニット１に読込むものである。読込まれた介護患者情報は、ブルートゥース制御部２４を介して入力ユニット２へ送信され表示部３１に表示される。操作者（介護士・看護士）は表示内容を見ることにより、作成したリストバンド５０の患者番号などの内容に間違いがないか確認する。２回目以降には、同様に患者情報読取り、訪問曜日や介護内容などに間違いがないか確認する。
なお、ＲＦＩＤインレット５５に対する読取り、書込みは、同じスイッチ２０にて行っており、担体挿入部１８にリスバンド５０が存在するか否かにより読取りか書込みかの判定ができるようになっている。
【００１３】
上述したように、リストバンド５０の印字表示面５１には、作動レバー５の押圧力によってエンドレスバンド７の印字文字部１３の「活字体」を押し付けて患者番号を印字し、また、ＲＦＩＤインレット５５には、底板部６の先端部に設けたＲＦＩＤ読取り・書込み部１７を介して目に見えない電子データとして患者の氏名や生年月日などの患者情報を記憶できるなど、手持ちの状態でリストバンド５０の発行ができるものである。
【００１４】
一方、患者情報を読取る際はグリップ３で発行ユニット１を支持し、前記ＲＦＩＤ読取り・書込み部１７を底板部６の外側からリストバンド５０のＲＦＩＤインレット５５の部分に重なるように当てて作動レバー５のスイッチ２０を作動させるだけで、非接触状態で読取れるので、リストバンド５０の発行、および発行したリストバンド５０の患者情報が１台の手持ち式の携帯情報記録担体発行装置で実現できるものである。
【００１５】
さらに、発行ユニット１に対する患者情報は、入力ユニット２、または図示省略のＰＣなどの外部機器よりブルートゥース制御部２４を介して送受信できるので、要介護患者が在宅する現場での発行が可能となる。
【００１６】
なお、上記実施の形態の構成および動作は例であって、本発明の趣旨を逸脱しない範囲で適宜変更することができることは言うまでもない。
【００１７】
例えば、上記実施の形態では説明の都合上、患者情報は介護者派遣センターのメインコンピュータ（図示省略）より入力ユニット２にダウンロードし、現場にて入力ユニット２より発行ユニット１に送信する例で説明したがこれに限定されないことは勿論であり、入力ユニット２より患者番号などを送信し、介護者派遣センターのメインコンピュータから直接発行ユニット１に送信するようにしても勿論構わない。
【図面の簡単な説明】
【００１８】
【図１】本実施の形態の携帯式情報記録担体発行装置の情報記録担体発行ユニットを示す概略側面図である。
【図２】同、図１中、矢示ＩＩ方向より見た概略平面図である。
【図３】同、制御部の要部を示す電気的なブロック図である。
【図４】同、データ入力ユニットの概略説明図である。
【図５】同、使用状態を示すフローチャート図である。
【符号の説明】
【００１９】
１    情報記録担体発行ユニット（発行ユニット）
２    データ入力ユニット（入力ユニット）
３    グリップ
４    発行ニット本体
５    作動レバー
６    底板部
７    エンドレスバンド
８    選択つまみ
９    インクローラ
１０  見出し窓部
１１  制御部
１２  バッテリ
１３  印字文字部
１４  見出し文字部
１５  ＬＥＤ（発光ダイオード）
１６  枢軸
１７  ＲＦＩＤ読取り・書込み部
１８  担体挿入部
１９  位置決めセンサ
２０  スイッチ
２１  ＣＰＵ
２２  ＲＯＭ
２３  ＲＡＭ
２４  ブルートゥース制御部
２５  表示制御部
２６  センサ制御部
２７  無線ＬＡＮ制御部
２８  スイッチ制御部
２９  ＲＦＩＤ制御部
３０  キーボード部
３１  表示部
５０  情報記録担体（リストバンド）
５１  印字表示部
５２  係止部
５３  係止孔
５４  セット孔
５５  ＲＦＩＤインレット
５６  切欠き部
【図１】
2006338180.tif 000003
【図２】
2006338180.tif 000004
【図３】
2006338180.tif 000005
【図４】
2006338180.tif 000006
【図５】
2006338180.tif 000007